(57)【要約】【課題】  印刷設定速度と選択された給送装置の搬送速度が合わなくなることによる不具合（ジャムの発生等）を未然に防止できるようにする。【解決手段】  孔版印刷装置に６速の第１給紙装置と５速の第２給紙装置が接続されている場合に、初期設定で選択された給紙装置が後で変更された場合、変更された給紙装置が第１給紙装置か第２給紙装置かを判別し、変更された給紙装置の最高速度に合わせて操作パネルに印刷速度を表示する。この表示に基づいて印刷速度を設定するようにする。【選択図】      図４
2006110791.tif 000002
【特許請求の範囲】
【請求項１】
印刷速度に対応する記録媒体の搬送速度の変速数が異なる複数の給送装置を装着可能な印刷装置において、
上記複数の給送装置の中から使用する給送装置の選択及び変更が可能な給送装置選択・変更手段と、印刷速度表示手段と、印刷速度の選択及び変更が可能な印刷速度選択・変更手段と、選択された給送装置の最高速度に合わせて印刷速度を上記印刷速度表示手段に表示する制御手段を有していることを特徴とする印刷装置。
【請求項２】
請求項１記載の印刷装置において、
上記印刷速度表示手段が、印刷速度を単位時間当たりの枚数で表示することを特徴とする印刷装置。
【請求項３】
印刷速度に対応する記録媒体の搬送速度の変速数が異なる複数の給送装置を装着可能な印刷装置において、
上記複数の給送装置の中から使用する給送装置の選択及び変更が可能な給送装置選択・変更手段と、印刷速度表示手段と、印刷速度の選択及び変更が可能な印刷速度選択・変更手段と、一旦選択された給送装置が変更された場合、変更前の給送装置での印刷速度が最高速度に設定されていたときは、自動的に印刷速度を変更後の給送装置での最高速度に変更する制御手段を有していることを特徴とする印刷装置。
【請求項４】
請求項１乃至３のうちの何れかに記載の印刷装置において、
操作パネルを有し、上記給送装置選択・変更手段、上記印刷速度表示手段及び上記印刷速度選択・変更手段が上記操作パネルに一体に構成されていることを特徴とする印刷装置。
【請求項５】
請求項１乃至４のうちの何れかに記載の印刷装置において、
孔版印刷方式の構成を有していることを特徴とする印刷装置。
【発明の詳細な説明】
【技術分野】
【０００１】
本発明は、孔版印刷装置等の印刷装置に関し、詳しくは、印刷速度に対応する記録媒体の搬送速度の変速数が異なる複数の給送装置を装着可能な印刷装置に関する。
【背景技術】
【０００２】
例えば孔版印刷装置では、第１給紙装置としての本体給紙装置と、第２給紙装置としての多段給紙装置（給紙バンク）が同時に装着され、操作パネル上でユーザが任意に選択できるようになっている。印刷速度も操作パネル上で任意に選択して設定できるようになっている。
このような種類の異なる給紙装置を備える場合において、第１給紙装置が１３０枚／分（印刷設定速度６速）、第２給紙装置が１２０枚／分（印刷設定速度５速）というように、各給紙装置において変速数が異なる場合がある。
【０００３】
【特許文献１】特開平５−３１８８９９号公報
【特許文献２】特開平６−１９９０２８号公報
【特許文献３】特開平６−２４７０２７号公報
【特許文献４】特開平８−７２３８０号公報
【特許文献５】特開平９−１１５９７号公報
【特許文献６】特開２００４−１６７８０６号公報
【発明の開示】
【発明が解決しようとする課題】
【０００４】
上記のように各給紙装置において変速数が異なる場合に、操作パネルで印刷モード設定時に、最初に印刷設定速度（単に「印刷速度」ともいう）として６速を選択してから、給紙装置を選択するときに、印刷用紙のサイズに合わせて第２給紙装置である多段給紙装置を選択して印刷を開始すると、第２給紙装置は１２０枚／分（印刷設定速度５速）の性能しかないために印刷速度に対して搬送速度（給紙速度）が遅れ、給紙装置側で印刷用紙が搬送できずにジャムになってしまう。
オペレータはジャムになって初めて印刷速度に給紙装置の給紙速度（搬送速度）が対応しないことを認識でき、その後印刷設定速度を５速に設定し直していた。
このため、ジャム処理が面倒であるとともに、無駄な作業時間、無駄な印刷用紙を発生させるという問題があった。
【０００５】
また、操作パネルで印刷モード設定時に、初めに、給紙装置を選択するときに印刷用紙のサイズに合わせて第２給紙装置である多段給紙装置を選択して印刷設定速度を５速に設定してから、印刷開始前に給紙装置を第１給紙装置に変更して印刷用紙をセットし、印刷を開始すると、初めに設定した印刷設定速度５速（１２０枚／分）の性能で印刷が開始される。
この場合、第１給紙装置を用いるため印刷設定速度６速（１３０枚／分）での印刷が可能であるにも拘わらず、その性能を活かせないことになる。
これは、給紙装置を変更したときにオペレータが印刷速度の設定を確認しなかったために生じた不具合であるが、この確認をオペレータに強いるのは酷であるとともに不注意により忘れる場合もあり、確実ではない。
【０００６】
本発明は、印刷設定速度と選択された給送装置の搬送速度が合わなくなることによる不具合を未然に防止できる印刷装置の提供を、その目的とする。
また、本発明は、給送装置の変更があってもオペレータの確認を要することなく確実に享受し得る最高の速度で印刷を行うことができる印刷装置の提供を、その目的とする。
【課題を解決するための手段】
【０００７】
上記目的を達成するために、請求項１記載の発明では、印刷速度に対応する記録媒体の搬送速度の変速数が異なる複数の給送装置を装着可能な印刷装置において、上記複数の給送装置の中から使用する給送装置の選択及び変更が可能な給送装置選択・変更手段と、印刷速度表示手段と、印刷速度の選択及び変更が可能な印刷速度選択・変更手段と、選択された給送装置の最高速度に合わせて印刷速度を上記印刷速度表示手段に表示する制御手段を有していることを特徴とする。
【０００８】
請求項２記載の発明では、請求項１記載の印刷装置において、上記印刷速度表示手段が、印刷速度を単位時間当たりの枚数で表示することを特徴とする。
【０００９】
請求項３記載の発明では、印刷速度に対応する記録媒体の搬送速度の変速数が異なる複数の給送装置を装着可能な印刷装置において、上記複数の給送装置の中から使用する給送装置の選択及び変更が可能な給送装置選択・変更手段と、印刷速度表示手段と、印刷速度の選択及び変更が可能な印刷速度選択・変更手段と、一旦選択された給送装置が変更された場合、変更前の給送装置での印刷速度が最高速度に設定されていたときは、自動的に印刷速度を変更後の給送装置での最高速度に変更する制御手段を有していることを特徴とする。
【００１０】
請求項４記載の発明では、請求項１乃至３のうちの何れかに記載の印刷装置において、操作パネルを有し、上記給送装置選択・変更手段、上記印刷速度表示手段及び上記印刷速度選択・変更手段が上記操作パネルに一体に構成されていることを特徴とする。
【００１１】
請求項５記載の発明では、請求項１乃至４のうちの何れかに記載の印刷装置において、孔版印刷方式の構成を有していることを特徴とする。
【発明の効果】
【００１２】
請求項１記載の発明によれば、印刷速度に対応する記録媒体の搬送速度の変速数が異なる複数の給送装置を装着可能な印刷装置において、上記複数の給送装置の中から使用する給送装置の選択及び変更が可能な給送装置選択・変更手段と、印刷速度表示手段と、印刷速度の選択及び変更が可能な印刷速度選択・変更手段と、選択された給送装置の最高速度に合わせて印刷速度を上記印刷速度表示手段に表示する制御手段を有していることとしたので、表示された印刷速度の中からいずれを選択しても給送装置の性能（搬送速度）との不一致は生じない。すなわち、給送装置の性能を気にすることなく表示されている印刷速度から所望の速度を選択することができるようになる。
これにより、給送装置の性能外の印刷速度を選択して印刷することによるジャムなどの発生を防止できる。
【００１３】
請求項２記載の発明によれば、請求項１記載の印刷装置において、上記印刷速度表示手段が、印刷速度を単位時間当たりの枚数で表示することとしたので、速度内容をユーザー（オペレータ）に分かり易くすることができ、使用性の向上を図ることができる。
【００１４】
請求項３記載の発明によれば、印刷速度に対応する記録媒体の搬送速度の変速数が異なる複数の給送装置を装着可能な印刷装置において、上記複数の給送装置の中から使用する給送装置の選択及び変更が可能な給送装置選択・変更手段と、印刷速度表示手段と、印刷速度の選択及び変更が可能な印刷速度選択・変更手段と、一旦選択された給送装置が変更された場合、変更前の給送装置での印刷速度が最高速度に設定されていたときは、自動的に印刷速度を変更後の給送装置での最高速度に変更する制御手段を有していることとしたので、異なる性能の給送装置を選択したときにも、その条件下において享受し得る最大印刷速度での印刷を行うことができる。
これによってユーザーは、給送装置の選択を変えたときに、印刷速度の設定を確認しなくても最高速度での印刷をすることができ、使用性の向上を図ることができる。
【００１５】
請求項４記載の発明によれば、請求項１乃至３のうちの何れかに記載の印刷装置において、操作パネルを有し、上記給送装置選択・変更手段、上記印刷速度表示手段及び上記印刷速度選択・変更手段が上記操作パネルに一体に構成されていることとしたので、個々に設ける場合に比べて構成の簡易化を図ることができる。
【００１６】
請求項５記載の発明によれば、請求項１乃至４のうちの何れかに記載の印刷装置において、孔版印刷方式の構成を有していることとしたので、大量印刷コストが安価な孔版印刷装置において、請求項１乃至４のうちの何れかの効果を得ることができる。
【発明を実施するための最良の形態】
【００１７】
以下、本発明の第１の実施形態を図１乃至図４に基づいて説明する。
まず、図１に基づいて本実施形態における印刷装置としての孔版印刷装置の構成の概略を説明する。符号１は原稿画像を読み取るためのスキャナ（原稿読取装置）を示しており、該スキャナ１の上面には開閉可能な圧板２と、複数枚の原稿を自動的に順次送るための自動原稿搬送装置（ＡＤＦ）３が設けられている。スキャナ１の内部には原稿のサイズを検知するための原稿サイズ検知センサ４が配置されている。
製版部５において、ロール状態から繰り出されるマスタ６は、プラテンローラ７によってサーマルヘッド８に押し付けられ、プラテンローラ７の回転によって穿孔製版されながら搬送される。製版済みのマスタ６は給版ローラ対１０により、印刷ドラム１２の外周面に設けられたマスタクランパ１１に向けて搬送され、その先端部をマスタクランパ１１にクランプされて印刷ドラム１２の回転に伴って該印刷ドラム１２の外周面に巻き付けられる。マスタ６は所定長さで上刃９ａと下刃９ｂからなるカッター９により切断される。
【００１８】
記録媒体としての印刷用紙１３は、給送装置としての本体給紙装置（以下、「第１給紙装置」ともいう）１４から、又は印刷装置本体下部に配置された給送装置としての多段給紙装置（以下、「第２給紙装置」ともいう）１５から給紙される。
第１給紙装置１４は、昇降自在な給紙台１６、給紙コロ１７及びピックアップコロ１８等を備えている。印刷用紙１３は、給紙コロ１７及びピックアップコロ１８により最上のものから順に１枚ずつ分離されて給紙され、レジストローラ対１９へ向けて搬送される。
第１給紙装置１４は変速数６の性能を有しており、１速が６０枚／分、２速が７５枚／分、３速が９０枚／分、４速が１０５枚／分、５速が１２０枚／分、６速が１３０枚／分である。これらの搬送速度は、各段階の印刷速度に対応している。
【００１９】
第２給紙装置１５は、給紙カセット２０、２１及びそれぞれに配置された給紙コロ２２及びピックアップコロ２３等を備えている。各給紙カセット２０、２１に収容された印刷用紙１３は、給紙コロ２２及びピックアップコロ２３により最上のものから順に１枚ずつ分離されて給紙され、搬送ローラ対２４を介してレジストローラ対１３へ向けて搬送される。
第２給紙装置１５は変速数５の性能を有しており、１速が６０枚／分、２速が７５枚／分、３速が９０枚／分、４速が１０５枚／分、５速が１２０枚／分である。これらの搬送速度は、各段階の印刷速度に対応している。
【００２０】
印刷用紙１３はレジストローラ対１９で一旦停止されて斜めずれを修正された後、所定のタイミングで印刷ドラム１２と押圧手段としてのプレスローラ２５の間の印圧部へ搬送される。
印圧部において印刷用紙１３はプレスローラ２５により印刷ドラム１２に押し付けられる。印刷ドラム１２の内部に設けられた図示しないインキ供給手段により供給されたインキが印圧により印刷ドラム１２の孔部及びマスタ６穿孔部を通って滲み出し、印刷用紙１３に転移することで画像が形成される。
印刷済みの印刷用紙１３は、吸引ファンを有する排紙搬送装置２６によって裏面を吸引されながら搬送され、排紙台２７上に順次排出・積載される。使用済みのマスタ６は、排版部２８の排版ローラ対２９により印刷ドラム１２の外周面から剥離され、排版収納ボックス３０へ収納される。
【００２１】
図２に示すように、孔版印刷装置は操作パネル３２を有しており、操作パネル３２により入力（設定）された情報は制御手段３３に出力される。制御手段３３は、Ｉ／Ｏインターフェース、ＣＰＵ、ＲＯＭ、ＲＡＭ等を有するマイクロコンピュータである。制御手段３３は操作パネル３２により入力された情報に基づいて第１給紙装置駆動モータ５０、第２給紙装置駆動モータ５１を図示しない変速装置を介して制御し、これにより各給紙装置における変速数が得られる。
図３に示すように、操作パネル３２には、製版スタートキー３４、印刷スタートキー３５、試し刷りキー３６、ストップキー３７、テンキー３８、クリアキー３９、７セグメントＬＥＤからなる表示装置４０、ＬＣＤからなる印刷速度表示手段としての表示装置４１、給紙装置選択キー４２、印刷速度選択・変更手段としての印刷速度選択キー４３等が設けられている。
表示装置４０には各種の数値が置数され、表示装置４１は階層構造となっていて各種情報を表示する。
【００２２】
給紙装置選択キー４２を押すと、表示装置４１に第１給紙装置１４と第２給紙装置１５が表示され、いずれかを表示装置４１の画面上で選択できるようになっている。厳密には、第２給紙装置１５はさらに給紙カセット２０と給紙カセット２１に分けられ、何れかを選択できるようになっている。一旦選択した後に給送装置を変更する場合には、クリアキー３９を押して同様の手順を採る。
給紙装置選択キー４２と表示装置４１により、給送装置選択・変更手段が構成される。
印刷速度選択キー４３を押すと、表示装置４１に６段階の印刷速度（１速が６０枚／分、２速が７５枚／分、３速が９０枚／分、４速が１０５枚／分、５速が１２０枚／分、６速が１３０枚／分）が表示され、いずれかを表示装置４１の画面上で選択できるようになっている。一旦選択した後に印刷速度を変更する場合には、クリアキー３９を押して同様の手順を採る。
【００２３】
上記孔版印刷装置における「印刷設定速度と選択された給紙装置の速度（搬送速度）が合わなくなること」を防止する制御動作を図４のフローチャートに基づいて説明する。
電源投入がなされると、前回設定された又は通常設定値としての印刷速度が表示装置４１に表示される（Ｓ１）。第１給紙装置１４の性能は１３０枚／分であるので印刷速度は６速（６段階）、第２給紙装置１５の性能は１２０枚／分であるので印刷速度は５速（５段階）となる（Ｓ２）。初期設定において操作パネル３２上で給紙装置を選択する（Ｓ３）。
選択後、制御手段３３は給紙装置が変更されたかどうかをチェックし（Ｓ４）、変更されていない場合には給紙装置が第１給紙装置かどうかをチェックする（Ｓ５）。第１給紙装置１４の場合には操作パネル３２の表示装置４１に６速（６段階の印刷速度）を表示する（Ｓ６）。この場合、６速と共に、あるいはこれに代えて、各段階の印刷速度を単位時間当たりの枚数「枚数／分」で表示してもよい（以下、同じ）。
オペレータは、印刷速度選択キー４３を押して１〜６速の中から所望の印刷速度を選択する。Ｓ１における印刷速度をそのまま維持し、Ｓ１における印刷速度が１〜６速の範囲内にある場合には上記印刷速度の選択操作は不要である。
【００２４】
Ｓ４において、給紙装置が変更された場合には、制御手段３３は変更された給紙装置が第１給紙装置１４かどうかをチェックし（Ｓ７）、第１給紙装置１４である場合には操作パネル３２の表示装置４１に第１給紙装置１４が選択されたことを表示する（Ｓ８）。次に、給紙装置が第１給紙装置かどうかを再度チェックし（Ｓ５）。第１給紙装置１４の場合には操作パネル３２の表示装置４１に６速を表示する（Ｓ６）。
Ｓ７において、第１給紙装置１４でない場合には、操作パネル３２の表示装置４１に第２給紙装置１５が選択されたことを表示する（Ｓ９）。Ｓ５において、給紙装置が第１給紙装置１４でない場合には、操作パネル３２の表示装置４１に５速（５段階の印刷速度）を表示する（Ｓ１０）。
オペレータは、印刷速度選択キー４３を押して１〜５速の中から所望の印刷速度を選択する。Ｓ１における印刷速度をそのまま維持し、Ｓ１における印刷速度が１〜５速の範囲内にある場合には上記印刷速度の選択操作は不要である。
このような印刷速度表示制御とすれば、設定された印刷速度と給紙装置の速度が合わずにジャムが発生することを未然に防止することができる。
【００２５】
次に第２の実施形態を説明する。なお、構成は上記実施形態と同一であるので説明は省略し、要部のみ説明する。
本実施形態では、給紙装置を変えても常に「享受し得る最高速度」で印刷できるようにすることを目的としている。本実施形態における制御動作を図５のフローチャートに基づいて説明する。
制御手段３３は給紙装置を変更したかどうかをチェックし（Ｓ１）、変更されている場合には続いて第１給紙装置１４かどうかをチェックする（Ｓ２）。第１給紙装置１４である場合には操作パネル３２の表示装置４１に第１給紙装置１４が選択されたことを表示する（Ｓ３）。
次に、再度給紙装置が第１給紙装置１４かどうかをチェックし（Ｓ４）、第１給紙装置１４である場合には、操作パネル３２の表示装置４１に６速（６段階の印刷速度）を表示する（Ｓ５）。
次に、給紙装置の変更前の印刷設定速度は最高速だったかどうかをチェックし（Ｓ６）、最高速であった場合には印刷速度を第１給紙装置１４での最高速度に設定するとともに（Ｓ７）、表示装置４１に最高印刷速度を表示する（Ｓ８）。
【００２６】
Ｓ２で第１給紙装置１４でない場合には、操作パネル３２の表示装置４１に第２給紙装置１５が選択されたことを表示する（Ｓ９）。Ｓ４で第１給紙装置１４でない場合には、操作パネル３２の表示装置４１に５速（５段階の印刷速度）を表示する（Ｓ１０）。
このような印刷速度自動変更制御とすれば、給紙装置の選択を変えたときに印刷速度の設定の確認をオペレータがしなくても最高速度での印刷を行うことができる。
【００２７】
上記各実施形態では印刷速度として、特定の段数及び特定の単位時間当たりの枚数を例示したがこれに限定される趣旨ではない。
【図面の簡単な説明】
【００２８】
【図１】本発明の第１の実施形態における印刷装置としての孔版印刷装置の概要正面図である。
【図２】制御ブロック図である。
【図３】操作パネルの要部平面図である。
【図４】制御動作を示すフローチャートである。
【図５】第２の実施形態における制御動作を示すフローチャートである。
【符号の説明】
【００２９】
１４  給送装置としての第１給紙装置
１５  給送装置としての第２給紙装置
３２  操作パネル
３３  制御手段
４１  印刷速度表示手段としての表示装置
【図１】
2006110791.tif 000003
【図２】
2006110791.tif 000004
【図３】
2006110791.tif 000005
【図４】
2006110791.tif 000006
【図５】
2006110791.tif 000007